【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
無欠陥ガラス状炭素材料を製造する方法であって、
金型キャビティを備える金型を提供する工程と、
前記金型キャビティ内に、熱分解消失性３次元繊維メッシュを配置する工程と、
重合性前駆体樹脂材料および重合触媒を前記金型キャビティ内に導入する工程であって、前記重合性前駆体樹脂材料および前記重合触媒が前記３次元繊維メッシュに浸透し、かつ重合を引き起こすことにより、金型キャビティ内に、前記３次元繊維メッシュを内包する硬質ポリマー材料を形成する工程と、
前記硬質ポリマー材料を高温で熱分解させ、前記熱分解消失性３次元繊維メッシュを取り除いて、前記無欠陥ガラス状炭素材料を得る工程と、
を含み、前記ガラス状炭素材料の空隙率が０．０５未満である、方法。
【請求項２】
前記熱分解は、不活性ガス環境下で行われる、請求項１に記載の方法。
【請求項３】
前記熱分解は、前記金型キャビティ内で行われる、請求項１に記載の方法。
【請求項４】
前記熱分解は、前記硬質ポリマー材料を前記金型キャビティから取り出した後に行われる、請求項１に記載の方法。
【請求項５】
前記前駆体樹脂材料は、フルフリルアルコールを含む、請求項１に記載の方法。
【請求項６】
前記前駆体樹脂材料は、フルフリルアルコールと他の炭素形成材料とを含む、請求項１に記載の方法。
【請求項７】
前記重合触媒は、酸塩化物を含む、請求項１に記載の方法。
【請求項８】
前記３次元繊維メッシュは、０．５より大きい空隙量を有する、請求項１に記載の方法。
【請求項９】
前記３次元繊維メッシュは、９９．５より大きい空隙量を有する、請求項１に記載の方法。
【請求項１０】
前記３次元繊維メッシュは、天然繊維および合成繊維のうち少なくとも一方を含む、請求項１に記載の方法。
【請求項１１】
前記３次元繊維メッシュは、織物構造および不織物構造のうち少なくとも一方を含む、請求項１に記載の方法。
【請求項１２】
前記３次元繊維メッシュの２本の隣接する繊維間の平均距離は、５ｍｍ未満である、請求項１に記載の方法。
【請求項１３】
前記３次元繊維メッシュの２本の隣接する繊維間の平均距離は、３ｍｍ未満である、請求項１に記載の方法。
【請求項１４】
前記３次元繊維メッシュの２本の隣接する繊維間の平均距離は、１ｍｍ未満である、請求項１に記載の方法。
【請求項１５】
前記３次元繊維メッシュの２本の隣接する繊維間の平均距離は、０．５ｍｍ未満である、請求項１に記載の方法。
【請求項１６】
前記３次元繊維メッシュの繊維は、その内部の複数の接点で相互結合されている、請求項１に記載の方法。
【請求項１７】
前記３次元繊維メッシュは、２つ以上の材料からなる繊維を含む、請求項１に記載の方法。
【請求項１８】
前記３次元繊維メッシュは、１０〜０．０００１ｇ／ｃｍ−３の範囲の密度を有する、請求項１に記載の方法。
【請求項１９】
前記３次元繊維メッシュは、１〜０．００１ｍｍの範囲の平均直径を有する繊維を含む、請求項１に記載の方法。
【請求項２０】
前記３次元繊維メッシュは、前記重合性前駆体樹脂および重合触媒が前記金型キャビティ内に導入される前の前記金型キャビティに形状が適合する、請求項１に記載の方法。
【請求項２１】
前記高温は、４００℃より高い、請求項１に記載の方法。
【請求項２２】
前記前駆体樹脂材料は、約０．０１〜約９０重量パーセントのフィラー材をさらに含む、請求項１に記載の方法。
【請求項２３】
前記フィラー材は、黒鉛粉末、黒鉛繊維、炭素粉末、カーボンナノチューブ、金属繊維、金属粉末、金属合金繊維、金属合金粉末、半導体繊維、半導体粉末、半導体金属合金、半導体金属粉末、絶縁体材料、ケイ素青銅合金、銅合金、石英、ケイ素、アルミナ、シリカ、モリブデン、硫化モリブデン、亜鉛、硫化亜鉛、無金属フタロシアニン、銅、ニッケル、鋼、クロム、クロムめっき鋼、および、これらの組み合わせから成る群から選択される材料を含む、請求項２２に記載の方法。
【請求項２４】
無欠陥ガラス状炭素材料を製造する方法であって、
熱分解消失性３次元繊維メッシュに重合性樹脂を浸透させる工程と、
前記重合性樹脂を硬化させる工程と、
前記メッシュを含む硬化樹脂を熱分解させ、前記メッシュを蒸発させて取り除き、前記硬化樹脂をガラス化させて前記無欠陥ガラス状炭素材料を得る工程と、
を含み、前記熱分解消失性３次元繊維メッシュの量が、得られるガラス状炭素材料の空隙率が０．０５未満となるように選択される、方法。
【請求項２５】
請求項１〜２４いずれか１項に記載の方法により製造された無欠陥ガラス状炭素材料。
【請求項２６】
３次元（ｘ、ｙ、ｚ）寸法を有する無欠陥ガラス状炭素材料であって、ｘ、ｙ、ｚ寸法の各々が１２ｍｍを超え、該ガラス状炭素材料の空隙率が０．０５未満である、ガラス状炭素材料。
【請求項２７】
前記ｘ、ｙ、ｚ寸法の各々が、１５ｍｍを超える、請求項２６に記載のガラス状炭素材料。
【請求項２８】
前記ｘ、ｙ、ｚ寸法の各々が、２０ｍｍを超える、請求項２６に記載のガラス状炭素材料。
【請求項２９】
前記ｘ、ｙ、ｚ寸法の各々が、４０ｍｍを超える、請求項２６に記載のガラス状炭素材料。
【請求項３０】
前記ｘ、ｙ、ｚ寸法の各々が１００ｍｍを超え、かつ、前記ガラス状炭素材料は補強材料または補強要素を含まない、請求項２６に記載のガラス状炭素材料。
【請求項３１】
当該材料内に内部通路ネットワークを含み、当該材料内の隣接する通路間の平均距離は、５ｍｍ未満である、請求項２６に記載のガラス状炭素材料。
【請求項３２】
当該材料内に内部通路ネットワークを含み、当該材料の隣接する通路間の平均距離は、３ｍｍ未満である、請求項２６に記載のガラス状炭素材料。
【請求項３３】
当該材料内に内部通路ネットワークを含み、当該材料の隣接する通路間の平均距離は、１ｍｍ未満である、請求項２６に記載のガラス状炭素材料。
【請求項３４】
当該材料内に内部通路ネットワークを含み、当該材料内の隣接する通路間の平均距離は、０．５ｍｍ未満である、請求項２６に記載のガラス状炭素材料。
【請求項３５】
当該材料内に内部通路ネットワークを含み、前記内部通路ネットワークは、前記ガラス状炭素材料の全体積のうち０．５未満の体積分率を占める、請求項２６に記載のガラス状炭素材料。
【請求項３６】
当該材料内に内部通路ネットワークを含み、前記内部通路ネットワークは、前記ガラス状炭素材料の全体積のうち０．０１未満の体積分率を占める、請求項２６に記載のガラス状炭素材料。
【請求項３７】
当該材料内に内部通路ネットワークを含み、前記内部通路ネットワークは、０．００１〜１ｍｍの範囲の平均直径を有する、請求項２６に記載のガラス状炭素材料。
【請求項３８】
フィラーを含む、請求項２６に記載のガラス状炭素材料。
【請求項３９】
前記フィラーは、黒鉛粉末、黒鉛繊維、炭素粉末、カーボンナノチューブ、金属繊維、金属粉末、金属合金繊維、金属合金粉末、半導体繊維、半導体粉末、半導体金属合金、半導体金属粉末、絶縁体材料、ケイ素青銅合金、銅合金、石英、ケイ素、アルミナ、シリカ、モリブデン、硫化モリブデン、亜鉛、硫化亜鉛、無金属フタロシアニン、銅、ニッケル、鋼、クロム、クロムめっき鋼、および、これらの組み合わせから成る群から選択される材料を含む、請求項３８に記載のガラス状炭素材料。
【請求項４０】
請求項２６に記載のガラス状炭素材料を含むガラス状炭素物品であって、前記物品は、シール材、ブレーキライニング、電気モータブラシ、および、支持部材から成る群から選択される、ガラス状炭素物品。